(57)【要約】【課題】メッセージ蓄積部に蓄積したメッセージを選別して移動局に送信する。【解決手段】統制台１は、回線交換機３にショートメッセージを通知する（ステップａ１）。回線交換機３は、優先メッセージか判断し（ステップａ２）、優先メッセージである場合、メッセージ蓄積部の通常メッセージを破棄する（ステップａ３）。回線交換機３は、移動局に送信可能となったときに、基地局を経由して移動局にメッセージ蓄積部のショートメッセージを通知する（ステップａ７〜ａ９）。移動局は、通知されたショートメッセージのシーケンス番号を回線交換機３に基地局を経由して通知する（ステップａ１０、ａ１２）。回線交換機３は、通知されたシーケンス番号と一致するシーケンス番号のショートメッセージがメッセージ蓄積部にある場合に、統制台１に到達応答を通知して、メッセージ蓄積部から該当するショートメッセージを削除する（ステップａ１３〜ａ１５）。【選択図】図３
2009232195.tif 000002
【特許請求の範囲】
【請求項１】
複数の移動局と無線通信する基地局と、前記基地局を制御する回線交換機と、メッセージを蓄積するメッセージ蓄積手段と、を備える無線通信システムであって、
前記回線交換機は、受信したメッセージの優先順位の情報に基づいて前記受信したメッセージを前記メッセージ蓄積手段に蓄積し、
前記回線交換機は、前記メッセージ蓄積手段に蓄積された前記メッセージから前記優先順位の高いメッセージを前記移動局に送信するように前記基地局を制御する
ことを特徴とする無線通信システム。
【請求項２】
前記回線交換機は、後に受信したメッセージが前記メッセージ蓄積手段に蓄積された前記メッセージより前記優先順位が高いとき、前記メッセージ蓄積手段に蓄積された前記優先順位の低いメッセージを前記メッセージ蓄積手段から削除することを特徴とする請求項１に記載の無線通信システム。
【発明の詳細な説明】
【技術分野】
【０００１】
本発明は、ショートメッセージの送受信機能を有する無線システムに関する。
【背景技術】
【０００２】
従来、企業などでデジタル無線システムを利用して業務内容の連絡を行う手段の一つに、ショートメッセージがある。ここで、従来のショートメッセージの配信動作を図７及び図８を参照して説明する。図７は、従来の無線システムＺのショートメッセージの配信において、移動局が基地局の無線通信範囲内（以下、「圏内」という）にある場合を示す図である。図８は、従来の無線システムＺのショートメッセージの配信において、移動局が基地局の無線通信範囲外（以下、「圏外」という）にある場合を示す図である。
【０００３】
まず、図７を参照して、移動局９５が基地局９４ａの圏内にある場合のショートメッセージの配信動作を説明する。図７の無線システムＺは、回線交換機９３にＬＡＮ（Local Area Network）９２を介して接続する統制台９１の複数の無線卓９１ａ、９１ｂ、・・・と、複数の基地局９４ａ、９４ｂ、・・・から構成される基地局９４を光ファイバケーブル等の有線接続を介して制御する回線交換機９３と、基地局９４と無線通信を行う複数の移動局９５とを含んで構成される。また、回線交換機９３は、移動局９５を呼び出す基地局を管理する位置登録部９３３を備える。
【０００４】
統制台９１は、ＬＡＮ９２を介して回線交換機９３にショートメッセージの送信要求を通知する。通知を受けた回線交換機９３は、移動局９５を呼び出す基地局９４を管理する位置登録部９３３を参照して、ショートメッセージの通知先である移動局９５を圏内に捕捉している基地局９４ａを確認する。そして、回線交換機９３は移動局９５を捕捉している基地局９４ａを確認できた場合、その基地局９４ａに対して通知先移動局宛のショートメッセージを通知する。基地局９４ａは通知されたショートメッセージをその移動局９５に通知する。上記配信動作により、移動局９５はショートメッセージを受信する。
【０００５】
次に、図８を参照して、移動局９５が基地局９４ａの圏外にある場合のショートメッセージの配信動作を説明する。なお、図７と同一の構成には同一の符号を付し、説明を省略する。統制台９１は、ＬＡＮ９２を介して回線交換機９３にショートメッセージの送信要求を通知する。通知を受けた回線交換機９３は、移動局９５を呼び出す基地局９４を管理する位置登録部９３３を参照して、ショートメッセージの通知先である移動局９５を圏内に捕捉している基地局９４を確認する。移動局９５が電源Ｏｆｆとなっている、又は圏外である場合、回線交換機９３は、移動局９５を捕捉している基地局を位置登録部９３３から確認できない。その場合に回線交換機９３は、統制台９１に対して送信不可の通知を返す。
【０００６】
このように、従来のショートメッセージの配信動作では、回線交換機９３が送信先の移動局９５を捕捉している基地局を確認できない場合、統制台９１の送信要求を受け付けなかった。そのため、統制台９１はショートメッセージの再送信動作を必要としていた。
【０００７】
そこで、特許文献１に開示の技術では、送信側の移動端末装置は文字メッセージをＣＭセンタに蓄積し、受信側の移動端末装置は圏内にあるときに定期的にＣＭセンタに文字メッセージの蓄積があるか確認を行い、蓄積された文字メッセージを受信している。
【特許文献１】特開平11-331378号公報
【発明の開示】
【発明が解決しようとする課題】
【０００８】
しかし、特許文献１の技術では、移動局は文字メッセージの受信可能状態となったときに、ＣＭセンタが蓄積した文字メッセージをまとめて受信することになる。ＣＭセンタには、同一の案件なのに状況変化により異なる指示を伝える複数の文字メッセージが蓄積される場合がある。そのため移動局の所持者は、蓄積されている文字メッセージをまとめて受信し、受信したすべての文字メッセージを読んで状況を把握してから、最終的に実行すべき指示を探す必要があった。
【０００９】
本発明は上記課題に鑑みてなされたものであり、メッセージに順位を付けて蓄積手段に蓄積し、蓄積手段から高い順位のメッセージを送信する無線システムを提供することを目的とする。
【課題を解決するための手段】
【００１０】
請求項１に記載の発明は、複数の移動局と無線通信する基地局と、前記基地局を制御する回線交換機と、メッセージを蓄積するメッセージ蓄積手段と、を備える無線通信システムであって、前記回線交換機は、受信したメッセージの優先順位の情報に基づいて前記受信したメッセージを前記メッセージ蓄積手段に蓄積し、前記回線交換機は、前記メッセージ蓄積手段に蓄積された前記メッセージから前記優先順位の高いメッセージを前記移動局に送信するように前記基地局を制御することを特徴とする無線通信システムに存する。
請求項２に記載の発明は、前記回線交換機は、後に受信したメッセージが前記メッセージ蓄積手段に蓄積された前記メッセージより前記優先順位が高いとき、前記メッセージ蓄積手段に蓄積された前記優先順位の低いメッセージを前記メッセージ蓄積手段から削除することを特徴とする請求項１に記載の無線通信システムに存する。
【発明の効果】
【００１１】
本発明の回線交換機は、順位を付けてメッセージを蓄積し、高い順位のメッセージを移動局に送信するので、移動局の受信量を減らすことができ、移動局の所持者が受信したメッセージを確認する際に過度の負担を掛けずに済む。
【発明を実施するための最良の形態】
【００１２】
＜実施形態１＞
以下、図面を参照して、本発明を企業などの業務用のデジタル無線システムに適用する場合の実施の形態を説明する。図１は、本実施形態の無線システムＸの構成図である。図２は、本実施形態の無線システムＸにおけるメッセージ蓄積部の蓄積内容を示す図である。
【００１３】
図１を参照して、本実施形態の無線システムＸの構成を説明する。なお、以下、基地局４ａが移動局５ａの捕捉基地局であり、基地局４ｂが移動局５ｂの捕捉基地局であるものとして説明する。本実施形態では、統制台１の無線卓１ａから移動局５ａにショートメッセージを配信する動作について説明する。
【００１４】
本実施形態の無線システムＸは、回線交換機３にＬＡＮ２を介して接続する統制台１の複数の無線卓１ａ、１ｂ、・・・と、複数の基地局４ａ、４ｂ、・・・から構成される基地局４を光ファイバケーブル等の有線接続を介して制御する回線交換機３と、基地局４と無線通信を行う複数の移動局５とを含んで構成される。統制台１は複数の無線卓１ａ、１ｂ、・・・からのショートメッセージ送信要求をＬＡＮ２を介して回線交換機３に通知する。また、回線交換機３からのショートメッセージの配信動作に関する通知は、ＬＡＮ２を介して通知元である統制台１の無線卓１ａ、１ｂ、・・・のいずれかに通知される。
【００１５】
また、回線交換機３は、制御部３１とメッセージ蓄積部３２と位置登録部３３とを有する。制御部３１は、メッセージ蓄積部３２と位置登録部３３とを制御する。制御部３１は、演算処理装置であり、回線交換機３内の図示しないＲＯＭに記憶されたプログラムを回線交換機３内の図示しないＲＡＭを作業エリアとして実行することで処理を行う。制御部３１は、メッセージ蓄積部３２に、ショートメッセージの通知先である移動局５ａが電源Ｏｆｆ状態や基地局４ａの圏外にある等により送信できないショートメッセージを蓄積する。制御部３１は、位置登録部３３に、移動局５ａを呼び出す基地局４ａを位置登録しており、移動局５ａの移動等によって位置登録に変更が生じた場合に、移動局５ａを呼び出しエリアに捕捉している他の基地局４ｂなど（以下、「捕捉基地局」という）に位置登録を更新する。制御部３１はメッセージ蓄積部３２及び位置登録部３３を外部サーバとして必要に応じて随時アクセスしてもよい。
【００１６】
次に、図２を参照して、メッセージ蓄積部３２の構成を説明する。メッセージ蓄積部３２は、磁気ディスク等の記憶装置である。メッセージ蓄積部３２は、シーケンス番号と移動局番号と無線卓ＩＤとフラグと通知時刻とショートメッセージ内容とを関連付けて蓄積する。ここで、シーケンス番号は、ショートメッセージを蓄積する度に制御部３１が付加するメッセージ蓄積部３２内で一意な番号である。移動局番号は、ショートメッセージの通知先である移動局の番号である。無線卓ＩＤは、ショートメッセージの通知元である統制台１の無線卓の識別ＩＤである。統制台１は、複数の無線卓１ａや１ｂを有するものとする。フラグは、メッセージの順位を表す。通知時刻は、統制台１のショートメッセージの送信時刻である。ショートメッセージ内容は、通知されたショートメッセージの本文であり、任意文字または定型文がある。
【００１７】
また、メッセージ蓄積部３２は、移動局５ごとにショートメッセージを管理してもよい。その場合、制御部３１は、メッセージ蓄積部３２から移動局番号を索引として検索できる。そのため、制御部３１は、位置登録の更新により送信可能となった移動局５に送信すべきショートメッセージの有無を、すべての移動局のショートメッセージをまとめて蓄積管理する場合よりも早く判断できる。
【００１８】
次に、ショートメッセージのフラグについて説明する。フラグは、無線卓１ａがショートメッセージの作成時に付加するものとする。無線卓１ａは、フラグを付加せずにショートメッセージを作成して送信することも可能である。フラグは、優先メッセージである旨を他のメッセージと識別可能であればよい。例えば、件名に付加した「！」等の適当な記号をフラグとしてもよいし、優先メッセージ送信を意味する優先メッセージ送信ボタン等の押下時にショートメッセージのヘッダ部へ「フラグ＝１」等を付加してフラグとしてもよい。また、付加するフラグに高中低などの順位をさらに割り当ててもよい。本実施形態では、フラグ付きのショートメッセージを順位の高い優先メッセージとし、フラグ無しのショートメッセージを順位の低い通常メッセージとする。
【００１９】
制御部３１は、通常メッセージの場合に「０」を、優先メッセージの場合に「１」をフラグとしてメッセージ蓄積部３２に記録する。また、制御部３１は、回線交換機３が優先メッセージを受信した場合、メッセージ蓄積部３２からその受信したショートメッセージの通知元無線卓ＩＤと通知先移動局番号とが同一であって、通常メッセージを意味するフラグが「０」のショートメッセージを検索する。制御部３１は、該当するショートメッセージがあった場合に、該当するショートメッセージをメッセージ蓄積部３２から削除する。具体的には、図２にシーケンス番号「０００１」にフラグが「０」である通常メッセージが蓄積されている。制御部３１は、受信した優先メッセージと同一通知元無線卓ＩＤ（０ｘ１１１１）かつ同一通知先移動局番号（０８０１２３４５５５５）であって、通常メッセージであるシーケンス番号「０００１」のショートメッセージを削除して、受信した優先メッセージをシーケンス番号「０００３」として蓄積する。制御部３１は、優先メッセージを蓄積したために通常メッセージを削除した場合、統制台１に優先メッセージ受付による強制取り消しを通知する。統制台１は、回線交換機から受けた通知を通知元の無線卓１ａに転送する。制御部３１が優先メッセージを蓄積する際に以前蓄積した通常メッセージを削除することで、移動局５ａは重要度の高いショートメッセージのみを受信することができる。その結果、ショートメッセージを業務の連絡手段として利用する場合、移動局５ａの所持者は確認すべき蓄積されたショートメッセージの量が少ないため、重要度の高い指示を迅速に把握できる。
【００２０】
次に、図３を参照して、本実施形態の無線システムＸの動作を回線交換機３の処理に着目して説明する。図３は、本実施形態の無線システムＸのシーケンス図である。
統制台１は、各無線卓１ａ、１ｂ、・・・のショートメッセージ送信要求を回線交換機３に通知する（ステップａ１）。ショートメッセージ送信要求は、通知元である統制台１の無線卓ＩＤと通知先の移動局番号とショートメッセージ通知時刻とショートメッセージの本文（内容）とを少なくとも含む。
【００２１】
回線交換機３が統制台１のショートメッセージ送信要求を受け付けると、制御部３１は受け付けたショートメッセージが優先メッセージであるか否かを判断する（ステップａ２）。制御部３１は、優先メッセージであると判断した場合、メッセージ蓄積部３２から通知元無線卓ＩＤと通知先移動局番号とが同一の通常メッセージを削除する（ステップａ３）。制御部３１は、通常メッセージを削除した後に、統制台１に優先メッセージ受付による強制取り消しを通知する（ステップａ４）。ステップａ２のＮｏまたはステップａ４の処理後に、制御部３１は、統制台１が通知したショートメッセージ送信要求に、シーケンス番号とフラグの有無とを付加してメッセージ蓄積部３２に蓄積する（ステップａ５）。制御部３１がメッセージ蓄積部３２にショートメッセージを蓄積すると、回線交換機３は統制台１にショートメッセージ送信応答として送信要求受付を通知する（ステップａ６）。
【００２２】
次に制御部３１は、通知先の移動局５ａに送信可能かどうか位置登録部３３を検索する（ステップａ７）。制御部３１が、移動局５ａの位置登録を確認できない場合、回線交換機３はショートメッセージを通知しない（ステップａ７のＮｏ）。その場合、制御部３１は、定期的に位置登録部３３を参照して、メッセージ蓄積部３２の移動局５ａの位置登録を確認できるか判断してもよい。また、制御部３１は、無線通信できなかった移動局５ａが無線通信可能に位置登録部３３を更新した場合のみメッセージ蓄積部３２の移動局５ａの位置登録を確認してもよい。
【００２３】
制御部３１がメッセージ蓄積部３２の移動局５ａについて位置登録を確認できた場合、回線交換機３は、その移動局５ａの捕捉基地局である基地局４ａにメッセージ蓄積部３２に蓄積されたその移動局５ａのショートメッセージを通知する（ステップａ８）。ここで通知するショートメッセージ情報は、シーケンス番号と通知元無線卓ＩＤと通知先移動局番号と通知時刻とショートメッセージ内容とを少なくとも含む。
【００２４】
基地局４ａは、回線交換機３から通知先移動局宛のショートメッセージの通知を受信すると、通知先の移動局５ａを呼び出して受信した内容通りショートメッセージを通知する（ステップａ９）。
【００２５】
移動局５ａは、基地局４ａからショートメッセージの通知を受信すると、ショートメッセージ応答として、少なくとも通知されたショートメッセージのシーケンス番号を基地局４ａに通知する（ステップａ１０）。また、移動局５ａは、受信したショートメッセージを移動局５ａの備える図示しない表示部や音声部に表示や受信した旨を知らせる音を発する等して、ショートメッセージの受信を移動局５ａの所持者に報知する（ステップａ１１）。
【００２６】
基地局４ａは、移動局５ａから受信したショートメッセージ応答をそのままの内容で回線交換機３に通知する（ステップａ１２）。
【００２７】
回線交換機３が、基地局４ａから到達応答を受信すると、制御部３１はメッセージ蓄積部３２から該当するシーケンス番号のショートメッセージを検索する（ステップａ１３）。該当するシーケンス番号のショートメッセージがあった場合、回線交換機３は統制台１にショートメッセージ送信応答として到達応答を送信する（ステップａ１４）。また、制御部３１は、該当するシーケンス番号のショートメッセージをメッセージ蓄積部３２から削除する（ステップａ１５）。
【００２８】
次に制御部３１は、メッセージ蓄積部３２にその他のショートメッセージが蓄積されているか検索する（ステップａ１６）。蓄積されている場合、制御部３１は、そのショートメッセージを移動局５ａに送信可能か位置登録部３３を検索して上記した一連の処理を行う（ステップａ１６のＹｅｓでステップａ７）。また、蓄積されていない場合、本処理を終了する（ステップａ１６のＮｏ）。
【００２９】
以上説明した通り、本実施形態によれば、回線交換機３は、優先メッセージを受信すると、制御部３１がメッセージ蓄積部３２から通常メッセージを削除し、優先メッセージのみを蓄積する。これにより、統制台１は移動局５ａと通信不可能な場合に、状況変化により指示内容の異なるショートメッセージを複数送信しなければならないときも、通常メッセージで当面の指示を伝え、最終指示を優先メッセージとすることで指示を単純化することができる。また、移動局５ａは通信可能となったときに大量のショートメッセージを受信することを防止できる。また、本実施形態によれば、例えば始業時刻に電源Ｏｎして利用する場合にも、送受信されるショートメッセージ量が減少するので通信回線を逼迫しなくてすむ。さらに、優先メッセージの蓄積により通常メッセージが削除されるので、メッセージ蓄積部３２の容量を軽減化することができる。
【００３０】
＜実施形態２＞
実施形態１では、統制台から移動局へのショートメッセージの配信動作を説明したが、移動局間でショートメッセージを配信してもよい。実施形態２では、移動局間でショートメッセージを配信する無線システムＹを説明する。なお、実施形態１と同様の構成には同一の符号を付し、説明を省略する。図４は、本実施形態の無線システムＹの構成図である。
【００３１】
図４を参照して、本実施形態の無線システムＹの構成を説明する。
本実施形態の無線システムＹは、複数の基地局４（４ａ、４ｂ、・・・）と、基地局４を光ファイバケーブル等の有線接続を介して制御する回線交換機３０と、基地局４と無線通信を行う複数の移動局５（５ａ、５ｂ、・・・）とを含んで構成される。
【００３２】
図５は本発明に係る実施形態２のメッセージ蓄積部３０２の蓄積内容を示す図である。回線交換機３０の制御部３１は、メッセージ蓄積部３０２に、シーケンス番号と、通知先移動局番号と、通知元移動局番号と、フラグと、通知時刻と、ショートメッセージ内容とを関連付けて蓄積する。本実施形態では、実施形態１の通知元無線卓ＩＤの代わりに通知元移動局番号をメッセージ蓄積部３０２に記録する。また、実施形態１では、統制台１がショートメッセージの作成時にフラグを付加するものとしたが、本実施形態では、通知元の移動局５ｂがショートメッセージの作成時にフラグの付加の有無を決めるものとする。
【００３３】
次に、図６を参照して、移動局５ｂから移動局５ａにショートメッセージを配信する動作を説明する。図６は、本発明に係る実施形態２のショートメッセージの配信動作を示すシーケンス図である。
【００３４】
まず、通知元である移動局５ｂは、基地局４ｂに移動局５ａ宛のショートメッセージ送信要求を通知する（ステップｂ１）。通知するショートメッセージ送信要求の内容は、通知元移動局番号と通知先移動局番号とショートメッセージ通知時刻とショートメッセージ内容とを少なくとも含む。基地局４ｂは、通知されたショートメッセージ送信要求をそのまま回線交換機３０に通知する（ステップｂ２）。
【００３５】
次に、回線交換機３０の制御部３１は、基地局４ｂから通知されたショートメッセージが優先メッセージであるか判断する（ステップｂ３）。優先メッセージであると判断した場合、制御部３１は、同一通知元移動局番号かつ同一通知先移動局番号の通常メッセージがメッセージ蓄積部３０２にある場合、その通常メッセージを削除する（ステップｂ４）。制御部３１は、通常メッセージを削除した場合、位置登録部３３を参照して、通知元の移動局５ｂに送信可能か判断する（ステップｂ５）。制御部３１は、通知元の移動局５ｂに送信可能と判断すると、基地局４ｂを経由して通知元の移動局５ｂにショートメッセージ送信応答として、優先メッセージ受付による強制取り消し通知を送信する（ステップｂ６、ｂ７）。
【００３６】
ステップｂ３のＮｏ、ステップｂ５のＮｏ、またはステップｂ７の処理後に、制御部３１は、通知されたショートメッセージ送信要求にシーケンス番号とフラグの有無とを付加してメッセージ蓄積部３０２に蓄積する。制御部３１は、メッセージ蓄積部３０２にショートメッセージを蓄積すると、ショートメッセージ応答として送信要求受付を通知元の移動局５ｂに基地局４ｂを経由して通知する（ステップｂ１０、ｂ１１）。ここで、本実施形態において、ステップｂ５またはステップｂ９で通知元の移動局５ｂに通知を送信不可能な場合も処理を進めることとしたのは、ショートメッセージ配信の即時性を考慮したためである。送信できなかった優先メッセージ受付による強制取り消し通知や送信要求受付は、他のショートメッセージ応答を通知元の移動局５ｂに通知する際に併せて通知してもよい。
【００３７】
次に、制御部３１は、位置登録部３３を参照して通知先の移動局５ａに送信可能か判断する（ステップｂ１２）。制御部３１は、位置登録部３３から通知先の移動局５ａの捕捉基地局を検索できない場合、送信不可能と判断してショートメッセージを通知しない（ステップｂ１２のＮｏ）。その場合、制御部３１は、定期的に、または位置登録の更新があった場合のみ位置登録部３３を参照して通知先の移動局５ａに送信可能か判断すればよい。
【００３８】
また、制御部３１は、通知先の移動局５ａに送信可能と判断した場合、位置登録部３３から通知先の移動局５ａの捕捉基地局を調べて、基地局４ａを経由して通知先の移動局５ａにショートメッセージを通知する（ステップｂ１３、ｂ１４）。
【００３９】
移動局５ａは、ショートメッセージの通知を受けると、基地局４ａを経由して回線交換機３０にショートメッセージ応答として到達応答を通知する（ステップｂ１５、ｂ１６）。この到達応答は、ショートメッセージのシーケンス番号を少なくとも含む。また、移動局５ａは、通知されたショートメッセージを移動局５ａの備える図示しない表示部や音声出力部に表示や音声出力等して、移動局５ａの所持者にショートメッセージの受信を報知する（ステップｂ１７）。
【００４０】
回線交換機３０が到達応答の通知を受けると、制御部３１は、到達応答のシーケンス番号と一致するシーケンス番号のショートメッセージがあるかメッセージ蓄積部３０２を検索する（ステップｂ１８）。制御部３１は、一致するシーケンス番号のショートメッセージを見つけた場合、位置登録部３３を参照して、そのシーケンス番号のショートメッセージの通知元である移動局５ｂに送信可能か判断する（ステップｂ１９）。制御部３１は、送信可能と判断した場合、基地局４ｂを経由してその通知元の移動局５ｂに到達応答を通知する（ステップｂ２０、ｂ２１）。また、制御部３１は、通知された到達応答のシーケンス番号と一致するシーケンス番号のショートメッセージをメッセージ蓄積部３０２から削除する（ステップｂ２２）。
【００４１】
また、制御部３１は、ステップｂ１９で送信不可能と判断した場合、定期的に、または位置登録の更新があった場合のみ位置登録部３３を参照して通知元の移動局５ｂに送信可能か繰り返し判断する（ステップｂ１９のＮｏ）。ここで、到達応答を通知元の移動局５ｂに送信可能になるまでステップｂ１９で繰返し判断することとしたのは、電子メールと異なり、ショートメッセージを利用すると到達応答を確認できるという特性を生かすためである。
【００４２】
ステップｂ１８のＮｏまたはステップｂ２２の処理後、制御部３１は他に蓄積されたショートメッセージがないかメッセージ蓄積手段を検索する（ステップｂ２３）。制御部３１は、蓄積されたショートメッセージがあれば、そのショートメッセージの通知先の移動局５ａへ送信可能かステップｂ１２以降の処理を行う（ステップｂ２３のＹｅｓ）。また、制御部３１は、他にショートメッセージが蓄積されていなければ、本処理を終了する（ステップｂ２３のＮｏ）。
【００４３】
以上説明した通り、本実施形態によれば、移動局同士のショートメッセージの配信であっても、制御部３１は重要度の高い優先メッセージをメッセージ蓄積部３０２に蓄積するときに、メッセージ蓄積部３０２から通常メッセージを削除する。これにより、通知元の移動局５ｂは通知先の移動局５ａと通信不可能な場合に、状況変化により指示内容の異なるショートメッセージを複数送信しなければならないときも、通常メッセージで当面の指示を伝え、最終指示を優先メッセージとすることで指示を単純化することができる。また、通知先の移動局５ａは通信可能となったときに大量のショートメッセージを受信することを防止できる。また、本実施形態によれば、例えば始業時刻に電源Ｏｎして利用する場合にも、送受信されるショートメッセージ量が減少するので通信回線を逼迫しなくてすむ。さらに、優先メッセージの蓄積により通常メッセージが削除されるので、メッセージ蓄積部３０２の容量を軽減化することができる。
【００４４】
なお、本実施形態１及び２において、制御部３１は優先メッセージを受け付けると、それ以前に蓄積された通常メッセージを削除する処理を説明した。しかし、この処理に限るものではなく、制御部３１は通常メッセージを受け付けた場合でも、メッセージ蓄積部３２、３０２に優先メッセージが既に蓄積されている場合は、通知された通常メッセージを蓄積しない処理としてもよい。この処理によれば、制御部３１が一度優先メッセージを蓄積した場合、それ以降は優先メッセージのみ蓄積することになり、緊急度の高い場合等に好適である。
【００４５】
また、本実施形態１及び２において、制御部３１は、優先メッセージの受信時にメッセージ蓄積部３２、３０２から通常メッセージを削除するものとして説明したが、削除しなくてもよい。この場合、回線交換機３、３０は、通知先移動局と通信可能になったときに、フラグの種類、例えば高中低などの順位に応じて優先メッセージを選別し、複数回に分けてショートメッセージを送信してもよい。回線交換機３、３０は、その他の順位の低いメッセージについて一定時間経過後に自動的に削除してもよいし、時間を改めて送信してもよいし、通知先移動局の通常メッセージ受信要求を受けてからまとめて送信してもよい。通知先移動局の通常メッセージ受信要求を受けてから送信する処理によれば、通知先移動局の都合の良いときに通常メッセージを受信できるので、通知元である統制台１または移動局（以下、総称して「通知元」という）は作成した通常メッセージを通知でき、通知先移動局はゆとりをもって通常メッセージを受信できて好適である。その場合、回線交換機３、３０は、優先メッセージを送信する際に通常メッセージを蓄積している旨を併せて通知先移動局に通知するとよい。
【００４６】
また、本実施形態１及び２において、制御部３１はフラグによって優先メッセージか否かを判断したが、通知時刻で優先メッセージを判断してもよい。この場合、制御部３１は、同一通知元から同一の通知先移動局宛へのショートメッセージについて、最新時刻に受信したショートメッセージのみを優先メッセージとしてメッセージ蓄積部３２、３０２に蓄積するとよい。その場合、通知先移動局は同一の通知元からのショートメッセージについて最新時刻の一通のみを受信するので、同一の通知元から複数の指示を受けることがない。また、特定時間帯に受信したショートメッセージのみを優先メッセージとしてメッセージ蓄積部３２、３０２に蓄積してもよい。この場合、特定時間帯として例えば会議等の終了時間帯を指定すれば、決定した重要事項を優先メッセージとして迅速に通知先移動局に通知することができる。
【００４７】
また、本実施形態１及び２において、回線交換機３、３０は、通知先移動局に送信できない場合、通知元にショートメッセージを送信できない旨のショートメッセージ送信応答を通知してもよい。この場合、通知元は通常メッセージと優先メッセージのいずれの形態で通知すべきか判断し易くなり好適である。
【００４８】
また、本実施形態１及び２を組み合わせて、移動局から統制台へのショートメッセージの配信動作に本発明を適用することも可能である。また、本実施形態１及び２ではショートメッセージの配信動作を説明したが、文字メッセージに限るものではなく、音声メッセージや通知先移動局を発呼できない場合の着信履歴等に適用することも可能である。
【００４９】
以上、本発明を具体的な実施の形態により説明したが、本実施の形態は以下のような特徴を有している。本発明の実施形態に係る無線システムでは、複数の移動局と無線通信する基地局と、前記基地局を制御する回線交換機と、メッセージを蓄積するメッセージ蓄積手段と、を備える無線通信システムであって、前記回線交換機は、受信したメッセージの優先順位の情報に基づいて前記受信したメッセージを前記メッセージ蓄積手段に蓄積し、前記回線交換機は、前記メッセージ蓄積手段に蓄積された前記メッセージから前記優先順位の高いメッセージを前記移動局に送信するように前記基地局を制御することを特徴とする。この場合、移動局はメッセージを受信できない間に送信されたメッセージをすべて受信することなく、蓄積されたメッセージから順位の高いメッセージを受信するので、受信するメッセージ量を減らすことができる。そのため、移動局の所持者は順位の高いメッセージを先にまとめて確認できる。
【００５０】
また、本発明の実施形態に係る無線システムでは、前記回線交換機は、後に受信したメッセージが前記メッセージ蓄積手段に蓄積された前記メッセージより前記優先順位が高いとき、前記メッセージ蓄積手段に蓄積された前記優先順位の低いメッセージを前記メッセージ蓄積手段から削除することを特徴とする。この場合、回線交換機はメッセージ蓄積手段の容量を軽減化できる。
【００５１】
また、本発明の実施形態に係る無線システムでは、前記回線交換機は、前記メッセージ蓄積手段に蓄積された前記メッセージを前記順位に基づいて、複数回に分けて前記移動局に送信するように前記基地局を制御することを特徴とする無線通信システムに存する。この場合、移動局はメッセージを受信できない間に、メッセージ蓄積手段に大量のメッセージが蓄積されたとしても、受信可能となったときにメッセージの順位ごとにまとめて受信できる。そのため、移動局は重要度の同じメッセージをまとめて受信するので、移動局の所持者は重要度の順位に応じて効率的に指示を実行できる。
【００５２】
また、本発明の実施形態に係る無線システムのメッセージ配信方法では、複数の移動局と無線通信する基地局と、前記基地局を制御する回線交換機と、メッセージを蓄積するメッセージ蓄積手段と、を備える無線通信システムのメッセージ配信方法であって、前記回線交換機は、受信したメッセージの所定の情報に基づいて前記受信したメッセージに順位を付加して前記メッセージ蓄積手段に蓄積し、前記移動局が前記基地局と無線通信可能になると、前記メッセージ蓄積手段に蓄積された前記メッセージから前記順位の高いメッセージを前記移動局に送信するように前記基地局を制御することを特徴とする。この場合、移動局はメッセージを受信できない間に、メッセージ蓄積手段に大量のメッセージが蓄積されたとしても、受信可能となったときに順位の高いメッセージをまとめて受信できる。そのため、移動局は重要度の高いメッセージを最初に受信するので、移動局の所持者は確認すべきメッセージを重要度の高いものに絞ることができる。
【００５３】
なお、本発明は上述した実施の形態に限定されるものではなく、本発明の趣旨を逸脱しない範囲で種々様々に変更が可能であることは言うまでもない。
【産業上の利用可能性】
【００５４】
本発明は、蓄積手段に蓄積した情報を後で送信する形態の情報伝達システムに利用することができる。
【図面の簡単な説明】
【００５５】
【図１】本発明に係る実施形態１の無線システムＸの構成図である。
【図２】本発明に係る実施形態１の無線システムＸにおけるメッセージ蓄積部の蓄積内容を示す図である。
【図３】本発明に係る実施形態１の無線システムＸにおけるショートメッセージの配信動作を示すシーケンス図である。
【図４】本発明に係る実施形態２の無線システムＹの構成図である。
【図５】本発明に係る実施形態２の無線システムＹにおけるメッセージ蓄積部の蓄積内容を示す図である。
【図６】本発明に係る実施形態２の無線システムＹにおけるショートメッセージの配信動作を示すシーケンス図である。
【図７】従来の無線システムＺにおいて移動局が基地局の圏内にある場合のショートメッセージの配信動作を示す図である。
【図８】従来の無線システムＺにおいて移動局が基地局の圏外にある場合のショートメッセージの配信動作を示す図である。
【符号の説明】
【００５６】
統制台・・・１、９１
無線卓・・・１ａ、１ｂ、９１ａ、９１ｂ
ＬＡＮ・・・２、９２
回線交換機・・・３、３０、９３
制御部・・・３１
メッセージ蓄積部・・・３２、３０２
位置登録部・・・３３、９３３
基地局・・・４、４ａ、４ｂ、９４、９４ａ、９４ｂ
移動局・・・５、５ａ、５ｂ、９５
無線システム・・・Ｘ、Ｙ、Ｚ
【図１】
2009232195.tif 000003
【図２】
2009232195.tif 000004
【図３】
2009232195.tif 000005
【図４】
2009232195.tif 000006
【図５】
2009232195.tif 000007
【図６】
2009232195.tif 000008
【図７】
2009232195.tif 000009
【図８】
2009232195.tif 000010